(57)【要約】【課題】電線結束作業の作業性を向上し且つ作業負荷を低減することが可能な電線結束用操作具を提供する。【解決手段】棒材部２の長手方向一端部に固定爪部１７を突設すると共に、固定爪部１７に対向して開閉可能な可動爪部１８を突設する。可動爪部１８は棒材部２長手方向他端部側に設けた操作ハンドル２０とリンクアーム１９により開閉する。高圧配電線３１と高圧分岐電線３２の結束作業では、固定爪部１７の固定側係止部１１を電線結束具３の一方の操作部９に差し込み、可動爪部１８の可動側係止部１０を他方の操作部９に差し込む。可動爪部１８を開くと電線結束具３の収納挟持部６の開口部７が開かれるので、高圧配電線３１及び高圧分岐電線３２を電線結束具３の収納挟持部６内に収納し、然る後、可動爪部１８を閉じると電線結束具３の収納挟持部６の開口部７が閉じて高圧配電線３１及び高圧分岐電線３２が収納挟持部６に挟持される。【選択図】図８
2014135830.tif 000002
【特許請求の範囲】
【請求項１】
ばね性金属製線材を湾曲して構成される電線結束具が、高圧配電線及び高圧分岐電線を収納して挟持する収納挟持部と、前記収納挟持部を開閉するための開口部と、前記開口部の両側に一体的に形成された円環状の操作部とを備え、前記電線結束具を用いて高圧配電線と高圧分岐電線とを結束する電線結束用操作具であって、
予め設定された方向に長手な棒材部と、
前記棒材部の長手方向一端部から突出するように前記棒材部の長手方向一端部に設けられた固定部と、
前記棒材部の長手方向一端部から突出し且つ前記固定部と対向するように前記棒材部の長手方向一端部に設けられ、前記固定部に対して予め設定された開閉方向に開閉可能な可動部と、
前記固定部の突出方向先端部に取付けられ、前記電線結束具の何れか一方の前記円環状の操作部に差し込まれる固定側係止部と、
前記可動部の突出方向先端部に取付けられ、前記電線結束具の何れか他方の前記円環状の操作部に差し込まれる可動側係止部と
を備えることを特徴とする電線結束用操作具。
【請求項２】
前記可動部は、前記棒材部の長手方向他端部に設けられた操作ハンドル及び前記棒材部と平行又は略平行に配置されたリンクアームによるリンク構造によって前記予め設定された開閉方向に開閉することを特徴とする請求項１に記載の電線結束用操作具。
【請求項３】
ばね性金属製線材を湾曲して構成される電線結束具が、高圧配電線及び高圧分岐電線を収納して挟持する収納挟持部と、前記収納挟持部を開閉するための開口部と、前記開口部の両側に一体的に形成された円環状の操作部とを備え、前記電線結束具を用いて高圧配電線と高圧分岐電線とを結束する電線結束用操作具であって、
予め設定された伸縮方向に長手な棒材部と、
前記棒材部の長手方向一端部から前記棒材部に対して前記伸縮方向に伸縮可能な伸縮軸と、
前記棒材部の前記長手方向一端部に取付けられ、前記電線結束具の何れか一方の前記円環状の操作部に差し込まれる固定側係止部と、
前記伸縮軸の伸縮方向先端部に取付けられ、前記電線結束具の何れか他方の前記円環状の操作部に差し込まれる可動側係止部と
を備えることを特徴とする電線結束用操作具。
【発明の詳細な説明】
【技術分野】
【０００１】
本発明は、架空電線を結束する電線結束具の操作具に関し、特に高圧配電線と高圧分岐電線とを結束する電線結束具を操作するのに好適なものである。
【背景技術】
【０００２】
架空高圧配電線を例えば延長して新設又は分岐する際には、高圧配電線を分岐した高圧分岐電線を用いる。高圧配電線と高圧分岐電線との電線接続具としては、例えば下記特許文献１に記載されるものがある。この電線接続具では、高圧分岐電線を予め接続具の押え部に取付けておき、接続具のフックを高圧配電線に引っ掛けた後、押え部に取付けられているネジを回転させ、このネジの推力で押さえ部とフックとの間に高圧配電線を挟持するようにしている。この電線接続具によれば、電線接続のための高所作業が簡易になり、作業負荷を低減することができる。
【先行技術文献】
【特許文献】
【０００３】
【特許文献１】特開２０１０−１９８９００号公報
【発明の概要】
【発明が解決しようとする課題】
【０００４】
前記特許文献１に記載されるのは架空電線を電気的に接続するものである。これに対し、高圧配電線と高圧分岐電線とを単に結束する必要のある場合もある。そのような場合、一般に把持の余長があるビニル被覆アルミバインドと呼ばれるアルミニウムを絶縁被覆した線材を結束する電線に巻き付け、然る後、その線材の両端部を二本の絶縁やっとこなどの把持具を一人が両手でつかんで互いに捻り合わせ把持の余長部分を切断し、その捻り合わせた端部を結束された電線側に折り曲げている。この作業は、高所作業車のバケットに乗って行うのが一般的であり、線材の両端部を捻り合わせる際には、両手の把持具の持ち替えが難しいため、両手で把持具を持った作業者自身がバケットの中で回転する。その際、回転でバランスを崩して把持具がバケットに接触することや把持が外れることがあり、二本の把持具を一人で操作するため、作業が困難で作業負荷も大きい。
【０００５】
本発明は、上記のような問題点に着目してなされたものであり、電線結束作業の作業性を向上し且つ作業負荷を低減することが可能な電線結束用操作具を提供することを目的とするものである。
【課題を解決するための手段】
【０００６】
上記課題を解決するために、発明の実施態様は、ばね性金属製線材を湾曲して構成される電線結束具が、高圧配電線及び高圧分岐電線を収納して挟持する収納挟持部と、前記収納挟持部を開閉するための開口部と、前記開口部の両側に一体的に形成された円環状の操作部とを備え、前記電線結束具を用いて高圧配電線と高圧分岐電線とを結束する電線結束用操作具であって、予め設定された伸縮方向に長手な棒材部と、前記棒材部の長手方向一端部から前記棒材部に対して前記伸縮方向に伸縮可能な伸縮軸と、前記棒材部の前記長手方向一端部に取付けられ、前記電線結束具の何れか一方の前記円環状の操作部に差し込まれる固定側係止部と、前記伸縮軸の伸縮方向先端部に取付けられ、前記電線結束具の何れか他方の前記円環状の操作部に差し込まれる可動側係止部とを備えることを特徴とする電線結束用操作具である。
【０００７】
また、ばね性金属製線材を湾曲して構成される電線結束具が、高圧配電線及び高圧分岐電線を収納して挟持する収納挟持部と、前記収納挟持部を開閉するための開口部と、前記開口部の両側に一体的に形成された円環状の操作部とを備え、前記電線結束具を用いて高圧配電線と高圧分岐電線とを結束する電線結束用操作具であって、予め設定された方向に長手な棒材部と、前記棒材部の長手方向一端部から突出するように前記棒材部の長手方向一端部に設けられた固定部と、前記棒材部の長手方向一端部から突出し且つ前記固定部と対向するように前記棒材部の長手方向一端部に設けられ、前記固定部に対して予め設定された開閉方向に開閉可能な可動部と、前記固定部の突出方向先端部に取付けられ、前記電線結束具の何れか一方の前記円環状の操作部に差し込まれる固定側係止部と、前記可動部の突出方向先端部に取付けられ、前記電線結束具の何れか他方の前記円環状の操作部に差し込まれる可動側係止部とを備えることを特徴とする電線結束用操作具である。
【０００８】
また、前記可動部は、前記棒材部の長手方向他端部に設けられた操作ハンドル及び前記棒材部と平行又は略平行に配置されたリンクアームによるリンク構造によって前記予め設定された開閉方向に開閉する。
【発明の効果】
【０００９】
発明の実施態様の電線結束操作具によれば、高圧配電線と高圧分岐電線とを結束する電線結束具は、ばね性金属製線材を湾曲して構成され、高圧配電線及び高圧分岐電線を収納して挟持する収納挟持部と、前記収納挟持部を開閉するための開口部と、前記開口部の両側に一体的に形成された円環状の操作部とを備える。この電線結束具を用いて高圧配電線と高圧分岐電線とを結束する場合は、棒材部の長手方向一端部に取付けられた固定側係止部を電線結束具の何れか一方の円環状の操作部に差し込むと共に、伸縮軸の伸縮方向先端部に取付けられた可動側係止部を電線結束具の何れか他方の円環状の操作部に差し込む。その状態で、棒材部に対して伸縮軸を棒材部の長手方向に延伸すると固定側係止部と可動側係止部とが離間する。これにより、電線結束具の操作部同士が離間し、収納挟持部の開口部が開かれるので、高圧配電線及び高圧分岐電線を電線結束具の収納挟持部内に収納する。然る後、棒材部に対して伸縮軸を棒材部の長手方向に収縮すると固定側係止部と可動側係止部とが接近し、電線結束具の収納挟持部の開口部が閉じて高圧配電線及び高圧分岐電線が収納挟持部に挟持される。その際、電線結束用操作具を持った作業者は、例えば高所作業車のバケット内で回転する必要がない。そのため、電線結束作業の作業性を向上し且つ作業負荷を低減することができる。
【００１０】
また、発明の別の実施態様の電線結束操作具によれば、高圧配電線と高圧分岐電線とを結束する電線結束具は、ばね性金属製線材を湾曲して構成され、高圧配電線及び高圧分岐電線を収納して挟持する収納挟持部と、前記収納挟持部を開閉するための開口部と、前記開口部の両側に一体的に形成された円環状の操作部とを備える。この電線結束具を用いて高圧配電線と高圧分岐電線とを結束する場合は、棒材部の長手方向一端部から突出された固定部の固定側係止部を電線結束具の何れか一方の円環状の操作部に差し込むと共に、固定部に対向する可動部の可動側係止部を電線結束具の何れか他方の円環状の操作部に差し込む。その状態で、固定部に対して可動部を開閉方向に開くと固定側係止部と可動側係止部とが離間する。これにより、電線結束具の操作部同士が離間し、収納挟持部の開口部が開かれるので、高圧配電線及び高圧分岐電線を電線結束具の収納挟持部内に収納する。然る後、固定部に対して可動部を開閉方向に閉じると固定側係止部と可動側係止部とが接近し、電線結束具の収納挟持部の開口部が閉じて高圧配電線及び高圧分岐電線が収納挟持部に挟持される。その際、電線結束用操作具を持った作業者は、例えば高所作業車のバケット内で回転する必要がない。そのため、電線結束作業の作業性を向上し且つ作業負荷を低減することができる。
【００１１】
また、棒材部の長手方向他端部に設けられた操作ハンドル及び棒材部と平行又は略平行に配置されたリンクアームによるリンク構造によって可動部を開閉方向に開閉する。これにより、電線結束作業の作業性をより一層向上し、作業負荷をより一層低減することができる。
【図面の簡単な説明】
【００１２】
【図１】本発明の電線結束用操作具の第１実施形態を示す全体図である。
【図２】図１の電線結束用操作具の詳細図である。
【図３】図１の電線結束用操作具による電線結束作業の説明図である。
【図４】図１の電線結束用操作具で用いられる電線結束具の一例を示す説明図であり、（ａ）は平面図、（ｂ）は正面図である。
【図５】図４の電線結束具の開口部を開いた状態の説明図である。
【図６】図１の電線結束用操作具で用いられる電線結束具の他の例を示す説明図であり、（ａ）は平面図、（ｂ）は正面図である。
【図７】図６の電線結束具の開口部を開いた状態の説明図である。
【図８】本発明の電線結束用操作具の第２実施形態を示す全体図である。
【図９】図８の操作具の詳細図である。
【図１０】図８の操作具による電線結束作業の説明図である。
【図１１】従来の電線結束作業の説明図である。
【発明を実施するための形態】
【００１３】
次に、本発明の電線結束用操作具の第１実施形態について図面を参照しながら説明する。図１は、本実施形態の電線結束用操作具を示す全体図、図２は、図１の電線結束用操作具の上方先端部の詳細図である。この電線結束用操作具１は、例えば回転ハンドル式の伸縮杆からなる。この伸縮杆は、例えば図１の上下方向に長手に使用するものであり、作業者が把持する把持部として上下方向に縦長な棒材部２を有する。図１に示す棒材部２の上端部には、上下方向に伸縮する伸縮軸１２が当該棒材部２から突出している。この伸縮軸１２が操作ハンドル１５の回転に合わせて、図１の上下方向に伸縮する。操作ハンドル１５による伸縮軸１２の伸縮機構には、周知のラックアンドピニオン式歯車機構などを用いることができる。
【００１４】
この伸縮軸１２の伸縮方向先端部には、図１の左方に向けて突出部１３が突出形成され、その突出部１３の突出端部には下向きの爪部１４が延長形成され、爪部１４の先端部から横向き（水平方向）に可動側係止部１０が突出形成されている。また、伸縮しない固定部としての棒材部２の上端部にも、図１の左方に向けて突出部１３が突出形成され、その突出部１３の突出端部には上向きの爪部１４が延長形成され、爪部１４の先端部から前記可動側係止部１０と同じ横向き（水平方向）に固定側係止部１１が突出形成されている。その結果、可動側係止部１０と固定側係止部１１とは同じ横向きに突出して、上下に対向配置される。これら可動側係止部１０及び固定側係止部１１は、本実施形態の電線結束具の円環状操作部内に差し込むことが可能な大きさのピン形状であり、例えばその突出先端部には、円環状操作部が抜けないようにフランジ部を形成してもよい。
【００１５】
図４は、本実施形態で用いられる電線結束具３の一例を示す説明図であり、（ａ）は平面図、（ｂ）は正面図である。本実施形態の電線結束具３は、例えば図４（ｂ）に示すように、上下（鉛直方向）に並んだ高圧配電線３１と高圧分岐電線３２とを結束するのに好適なものである。本実施形態の電線結束具３は、弾性変形可能で且つ弾性変形後に復元するばね性金属製線材を湾曲して線材部５が構成されている。この線材部５の断面形状は円形又は方形などであり、蒸着法などにより絶縁被覆されている。この線材部５は、図４（ｂ）に示すように、例えば上下に並んだ高圧配電線３１及び高圧分岐電線３２をそのまま収納して挟持する収納挟持部６を備えている。
【００１６】
この収納挟持部６の周縁部の一部が線材部５を構成するばね性金属製線材の長手方向両端部に相当し、その両端部間には、収納挟持部６を開閉するための開口部７が形成されている。また、線材部５には、収納挟持部６に連続してばね性金属製線材を湾曲した巻回部８も形成されている。この巻回部８は、例えば図５に示すように、収納挟持部６の開口部７を開いたときに、開口部７を自動的に閉じるばね部として機能する。そして、線材部５の長手方向両端部には、円環部からなる操作部９が、当該線材部５と一体的に形成されている。この操作部９は、前述したように、電線結束用操作具１の可動側係止部１０及び固定側係止部１１を差し込むことができる円環状であり、この操作部９同士を互いに開くことにより収納挟持部６の開口部７を開くことができる。
【００１７】
図６は、本実施形態で用いられる電線結束具３の他の例の説明図であり、（ａ）は平面図、（ｂ）は正面図である。本実施形態の電線結束具３は、例えば図６（ｂ）に示すように、横（水平方向）に並んだ高圧配電線３１と高圧分岐電線３２とを結束するのに好適なものである。この電線結束具３も、前記図４の電線結束具と同様に、弾性変形可能で且つ弾性変形後に復元するばね性金属製線材を湾曲して線材部５が構成されている。この線材部５の断面形状は円形又は方形などであり、蒸着法などにより絶縁被覆されている。また、この線材部５は、図６（ｂ）に示すように、例えば横に並んだ高圧配電線３１及び高圧分岐電線３２をそのまま収納して挟持する収納挟持部６を備えている。
【００１８】
この収納挟持部６の周縁部の一部が線材部５を構成するばね性金属製線材の長手方向両端部に相当し、その両端部間には、収納挟持部６を開閉するための開口部７が形成されている。また、線材部５には、収納挟持部６に連続してばね性金属製線材を湾曲した巻回部８も形成されている。この巻回部８は、例えば図７に示すように、収納挟持部６の開口部７を開いたときに、開口部７を自動的に閉じるばね部として機能する。そして、線材部５の長手方向両端部には、前記図６の電線結束具と同様に、円環部からなる操作部９が、当該線材部５と一体的に形成されている。この操作部９は、収納挟持部６の開口部７を開くための電線結束用操作具１の可動側係止部１０及び固定側係止部１１を差し込むことができる大きさの円環部からなる。
【００１９】
図１に示す電線結束用操作具１を用いて、例えば図４の電線結束具３で上下に並んだ高圧配電線３１と高圧分岐電線３２とを結束する場合には、例えば図２に示すように、伸縮軸１２の伸縮方向先端部に取付けられた可動側係止部１０と棒材部２の上端部に取付けられた固定側係止部１１の夫々を、図４の電線結束具３の操作部９の円環部内に差し込む。そして、その状態で操作ハンドル１５を予め設定された方向に回転して伸縮軸１２を延伸すると、操作部９同士が互いに離間し、これに伴って電線結束具３に形成されている収納挟持部６の開口部７が開く。このとき、巻回部８は収納挟持部６の開口部７を自動的に閉じるばね部として機能している。その状態で、収納挟持部６内に高圧配電線３１と高圧分岐電線３２とを収納し、然る後、操作ハンドル１５を逆方向に回転して伸縮軸１２を収縮すると、操作部９同士が互いに接近する。その際、巻回部８は収納挟持部６の開口部７を自動的に閉じるばね部として機能しているので、操作部９同士が接触する程度に開口部７が閉じると、収納挟持部６によって高圧配電線３１と高圧分岐電線３２とが挟持され、両者が結束される。高圧配電線３１と高圧分岐電線３２とが収納挟持部６によって挟持されたら、電線結束用操作具１の可動側係止部１０及び固定側係止部１１を円環状の操作部９から引き抜く。
【００２０】
この高圧配電線３１と高圧分岐電線３２との結束作業は、例えば図３に示すように、高所作業車３３のバケット３４に作業者が乗って行う。本実施形態の電線結束用操作具１では、高圧配電線３１と高圧分岐電線３２とを結束するときに電線結束用操作具１の操作ハンドル１５を回転させるだけであるから、電線結束用操作具１がバケット３４の縁に当たるといったことがない。そのため、電線結束作業の作業性がよく、作業負荷も小さい。これに対し、従来の電線結束作業では、図１１に示すように、一般に把持の余長があるビニル被覆アルミバインドと呼ばれるアルミニウムを絶縁被覆した結束線材１０１を高圧配電線３１及び高圧分岐電線３２に巻き付ける。そして、その結束線材１０１の両端部を二本の絶縁やっとこなどの把持具１０２を一人が両手でつかんで互いに捻り合わせ把持の余長部分を切断し、その捻り合わせた端部を結束された電線側に折り曲げている。この作業では、結束線材１０１の両端部を捻り合わせる際には、両手の把持具１０２の持ち替えが難しいため、両手で把持具１０２を持った作業者自身が図の矢印方向にバケット３４の中で回転する。その際、回転でバランスを崩して把持具１０２がバケット３４に接触することや把持が外れることがあり、二本の把持具１０２を一人で操作するため、作業が困難で作業負荷も大きい。
【００２１】
このように本実施形態の電線結束用操作具では、高圧配電線３１と高圧分岐電線３２とを結束する電線結束具３は、ばね性金属製線材を湾曲して構成され、高圧配電線３１及び高圧分岐電線３２を収納して挟持する収納挟持部６と、前記収納挟持部６を開閉するための開口部７と、前記開口部７の両側に一体的に形成された円環状の操作部９とを備える。この電線結束具３を用いて高圧配電線３１と高圧分岐電線３２とを結束する場合は、棒材部２の長手方向一端部に取付けられた固定側係止部１１を電線結束具３の何れか一方の円環状の操作部９に差し込むと共に、伸縮軸１２の伸縮方向先端部に取付けられた可動側係止部１０を電線結束具３の何れか他方の円環状の操作部９に差し込む。その状態で、棒材部２に対して伸縮軸１２を棒材部２の長手方向に延伸すると固定側係止部１１と可動側係止部１０とが離間する。これにより、電線結束具３の操作部９同士が離間し、収納挟持部６の開口部７が開かれるので、高圧配電線３１及び高圧分岐電線３２を電線結束具３の収納挟持部６内に収納する。然る後、棒材部２に対して伸縮軸１２を棒材部２の長手方向に収縮すると固定側係止部１１と可動側係止部１０とが接近し、電線結束具３の収納挟持部６の開口部７が閉じて高圧配電線３１及び高圧分岐電線３２が収納挟持部６に挟持される。その際、電線結束用操作具１を持った作業者は、例えば高所作業車３３のバケット３４内で回転する必要がない。そのため、電線結束作業の作業性を向上し且つ作業負荷を低減することができる。
【００２２】
次に、本発明の電線結束用操作具の第２実施形態について図面を参照しながら説明する。図８は、本実施形態の電線結束用操作具を示す全体図、図９は、図８の電線結束用操作具の上方先端部の詳細図である。この電線結束用操作具１は、例えば絶縁やっとこなどからなり、作業者が把持する把持部として上下方向に長手な棒材部２を有する。この棒材部２の図示上端部には、固定部としての固定爪部１７が上方向きに突出形成されている。一方、棒材部２の図示上端部には、図の左右方向に回転可能な可動部としての可動爪部１８も上方向きに突出形成されている。この可動爪部１８は前記固定爪部１７に対向するように配置され、可動ピン２１を介して、図の左右方向に回転可能に棒材部２の上端部に取付けられている。この可動爪部１８は、リンクアーム１９を介して操作ハンドル２０に連結され、これらリンクアーム１９、操作ハンドル２０、可動爪部１８によってリンク構造が形成されている。そのため、操作ハンドル２０を矢印ａ方向に回転させると可動爪部１８が矢印ｂ方向に開く。固定爪部１７の先端部には横向き（水平方向）に固定側係止部１１が突出形成され、可動爪部１８の先端部にも、固定側係止部１１と同じ横向き（水平方向）に可動側係止部１０が突出形成されている。その結果、可動側係止部１０と固定側係止部１１とは同じ横向きに突出して、左右に対向配置される。これら可動側係止部１０及び固定側係止部１１は、前述した電線結束具３の円環状操作部９内に差し込むことが可能な大きさのピン形状であり、例えばその突出先端部には、操作部９が抜けないようにフランジ部を形成してもよい。なお、本実施形態の電線結束用操作具１は、既存の絶縁やっとこにアタッチメントを取付けるようにして構成してもよいし、全体を新規に作成してもよい。
【００２３】
本実施形態の電線結束用操作具１を用いて、例えば図４の電線結束具３で横に並んだ高圧配電線３１と高圧分岐電線３２とを結束する場合には、例えば図９に示すように、固定爪部１７の先端部の固定側係止部１１を図４の電線結束具３の何れか一方の円環状操作部９に差し込み、可動爪部１８の先端部の可動側係止部１０を図４の電線結束具３の何れか他方の操作部９の円環部内に差し込む。そして、その状態で操作ハンドル２０を図８の矢印ａ方向に回転すると、固定爪部１７と可動爪部１８との離間に伴って電線結束具３の操作部９同士が互いに離間し、これに伴って電線結束具３に形成されている収納挟持部６の開口部７が開く。このとき、巻回部８は収納挟持部６の開口部７を自動的に閉じるばね部として機能している。その状態で、収納挟持部６内に高圧配電線３１と高圧分岐電線３２とを収納し、然る後、操作ハンドル２０を逆方向に回転して固定爪部１７と可動爪部１８とを閉じると、電線結束具３の操作部９同士が互いに接近する。その際、巻回部８は収納挟持部６の開口部７を自動的に閉じるばね部として機能しているので、電線結束具３の操作部９同士が接触する程度に開口部７が閉じると、収納挟持部６によって高圧配電線３１と高圧分岐電線３２とが挟持され、両者が結束される。高圧配電線３１と高圧分岐電線３２とが収納挟持部６によって挟持されたら、電線結束用操作具１の可動側係止部１０及び固定側係止部１１を円環状操作部９から引き抜く。
【００２４】
この高圧配電線３１と高圧分岐電線３２との結束作業は、例えば図１０に示すように、高所作業車３３のバケット３４に作業者が乗って行う。本実施形態の電線結束用操作具１では、高圧配電線３１と高圧分岐電線３２とを結束するときに電線結束用操作具１の操作ハンドル２０を図１０の矢印ｃ方向に回転させるだけであるから、電線結束用操作具１がバケット３４の縁に当たるといったことがない。そのため、電線結束作業の作業性がよく、作業負荷も小さい。これに対し、従来の電線結束作業では、前述のように、両手で把持具１０２を持った作業者自身がバケット３４の中で回転する際、回転でバランスを崩して把持具１０２がバケット３４に接触することや把持が外れることがあり、二本の把持具１０２を一人で操作するため、作業が困難で作業負荷も大きい。
【００２５】
このように本実施形態の電線結束用操作具では、高圧配電線３１と高圧分岐電線３２とを結束する電線結束具３は、ばね性金属製線材を湾曲して構成され、高圧配電線３１及び高圧分岐電線３２を収納して挟持する収納挟持部６と、前記収納挟持部６を開閉するための開口部７と、前記開口部７の両側に一体的に形成された円環状の操作部９とを備える。この電線結束具３を用いて高圧配電線３１と高圧分岐電線３２とを結束する場合は、棒材部２の長手方向一端部から突出された固定爪部１７の固定側係止部１１を電線結束具３の何れか一方の円環状の操作部９に差し込むと共に、固定爪部１７に対向する可動爪部１８の可動側係止部１０を電線結束具３の何れか他方の円環状の操作部９に差し込む。その状態で、固定爪部１７に対して可動爪部１８を開閉方向に開くと固定側係止部１１と可動側係止部１０とが離間する。これにより、電線結束具３の操作部９同士が離間し、収納挟持部６の開口部７が開かれるので、高圧配電線３１及び高圧分岐電線３２を電線結束具３の収納挟持部６内に収納する。然る後、固定爪部１７に対して可動爪部１８を開閉方向に閉じると固定側係止部１１と可動側係止部１０とが接近し、電線結束具３の収納挟持部６の開口部７が閉じて高圧配電線３１及び高圧分岐電線３２が収納挟持部６に挟持される。その際、電線結束用操作具１を持った作業者は、例えば高所作業車３３のバケット３４内で回転する必要がない。そのため、電線結束作業の作業性を向上し且つ作業負荷を低減することができる。
【００２６】
また、棒材部２の長手方向他端部に設けられた操作ハンドル２０及び棒材部２と平行又は略平行に配置されたリンクアーム１９によるリンク構造によって可動爪部１８を開閉方向に開閉する。これにより、電線結束作業の作業性をより一層向上し、作業負荷をより一層低減することができる。
【００２７】
なお、前記各実施形態では、高圧配電線と高圧分岐電線とを互いに１本ずつ結束する場合についてのみ詳述したが、結束される互いの電線の数はこれに限定されるものではない。その際、例えば図４や図６に示す電線結束具では、結束される電線の数に合わせて収納挟持部の形状を適合させるべきであることはいうまでもない。
【符号の説明】
【００２８】
１は電線結束用操作具
２は棒材部
３は電線結束具
５は線材部
６は収納挟持部
７は開口部
８は巻回部
９は操作部
１０は可動側係止部
１１は固定側係止部
１２は伸縮軸
１３は突出部
１４は爪部
１５は操作ハンドル
１７は固定爪部（固定部）
１８は可動爪部（可動部）
１９はリンクアーム
２０は操作ハンドル
２１は可動ピン
３１は高圧配電線
３２は高圧分岐電線
３３は高所作業車
３４はバケット
【図１】
2014135830.tif 000003
【図２】
2014135830.tif 000004
【図３】
2014135830.tif 000005
【図４】
2014135830.tif 000006
【図５】
2014135830.tif 000007
【図６】
2014135830.tif 000008
【図７】
2014135830.tif 000009
【図８】
2014135830.tif 000010
【図９】
2014135830.tif 000011
【図１０】
2014135830.tif 000012
【図１１】
2014135830.tif 000013